(57)【要約】【課題】底部を確実に保持して高い緩衝効果を有し、箱体の組み立ても容易な包装用箱を提供する。【解決手段】一枚の箱体形成片１２から成り、互いに連接された側面１４，１６，１８，２０と、側面１４に連接して設けられ他の側面２０に糊付けして筒体とする糊付片２２と、組立状態で一開口端部を閉鎖する底部１３を有する。側面１４に交差して設けられ収容物が嵌合される透孔８０を有する上面７４と、上面７４に連接し底部１３に向かって突出する立上片７６を備える。立上片７６の、上面７４との連接方向に交差する一方の側縁部が、糊付片２２に連続する。立上片７６の他方の側縁部が、糊付片２２が糊付けされた側面２０に対向する側面１６に糊付けされる立上片用糊付部９２を備える。【選択図】図１
2018002300.tif 000002
【特許請求の範囲】
【請求項１】
一枚の箱体形成片から成り、互いに連接された側面と、前記側面の１つに連接して設けられ他の前記側面に糊付けして筒体とする糊付片と、組立状態で連接された側面で形成される一開口端部を閉鎖する底部が設けられ、前記箱体形成片が糊付けされて折り畳まれた状態から前記各側面を立体形状に組み立てると、同時に前記底部が組み立てられる包装用箱において、
前記包装用箱の内側には、前記側面に交差して設けられ収容物が嵌合される透孔が形成された上面と、前記上面に連接して設けられ前記底部に向かって突出する立上片が設けられ、前記立上片は、前記上面との連接方向に交差する一方の側縁部が、前記糊付片に連続し、他方の側縁部には、前記糊付片が糊付けされた前記側面に対向する前記側面に糊付けされる立上片用糊付部が設けられていることを特徴とする包装用箱。
【請求項２】
前記立上片には、前記上面とは反対側に下面が設けられ、前記下面は、組立状態で前記上面の下方に位置し、前記底部から離間して設けられ、前記上面の前記透孔に対面する範囲を覆う大きさである請求項１記載の包装用箱。
【請求項３】
前記下面には、前記立上片とは反対側に下面用糊付部が設けられ、前記上面には、前記立上片とは反対側に上面用糊付部が設けられ、前記下面用糊付部と前記上面用糊付部には、組立状態で前記下面の下方に一部が突出し前記底部に当接する保持片が糊付けされている請求項１記載の包装用箱。
【発明の詳細な説明】
【技術分野】
【０００１】
この発明は、箱体の内側に緩衝用の仕切りが一体に設けられ、瓶等の収容物を包装する包装用箱に関する。
【背景技術】
【０００２】
従来から、化粧水や薬液、清涼飲料水等を瓶に入れた商品は、紙製等の包装用箱に収容され、運搬、保管、陳列がされているものがある。このような包装用箱は、収容した瓶などを保護し、中でがたつかないように、包装用箱内を仕切る緩衝用の仕切りが設けられている。
【０００３】
例えば、特許文献１に開示されている緩衝仕切り付包装用箱は、一枚のブランクシートから一体的に打ち抜かれた箱体形成片からなり、互いに連接された側面と、組立状態で連接された側面で形成される一開口端部を閉鎖する底蓋片が設けられている。連接方向の端部に位置する側面には、緩衝用仕切り部が設けられ、緩衝用仕切り部には、収容物の底面を保持する底部と、底部を支持する脚部が設けられている。
【０００４】
また、特許文献２に開示されている包装用箱は、互いに連接された側面と、組立状態で連接された側面で形成される一開口端部を閉鎖する底蓋片が設けられ、前記箱体形成片が糊付けされて折り畳まれた状態から前記各側面を立体形状に組み立てると、同時に前記底部が組み立てられるものである。底蓋片に、底部緩衝部が設けられ、収容物の底面を保持する載置板と、載置板を支持する保持板を有している。各側面を立体形状に組み立てて底部が組み立てられる時に、載置板と保持板も、折り畳み状態から引き起こされて立体形状に形成されるものである。
【先行技術文献】
【特許文献】
【０００５】
【特許文献１】特許第５６１９４９０号公報
【特許文献２】特開２０１６−３０４８号公報
【発明の概要】
【発明が解決しようとする課題】
【０００６】
上記背景技術の場合、特許文献１では、緩衝用仕切り部に設けられた底部の、一対の側縁部は、底部を保持する一対の脚部が打ち抜かれているため、底部は部分的に細くなって緩衝性が低くなり、また脚部も十分な太さを得られず強度が十分ではないものである。また、特許文献２では、ワンタッチで組み立てられる底蓋片の延長部分を利用して保持板を作っているため、折り畳まれた側面を起こして箱体を形成する時、底部緩衝部を起こす工程も同時に行われるため、箱体を形成する作業に比較的強い力を必要とし、組立作業に支障を生じる場合がある。
【０００７】
この発明は、上記背景技術の問題点に鑑みてなされたものであり、収容物の底を確実に保持して高い緩衝効果を有し、箱体の組み立ても容易な包装用箱を提供することを目的とする。
【課題を解決するための手段】
【０００８】
本発明は、一枚の箱体形成片から成り、互いに連接された側面と、前記側面の１つに連接して設けられ他の前記側面に糊付けして筒体とする糊付片と、組立状態で連接された側面で形成される一開口端部を閉鎖する底部が設けられ、前記箱体形成片が糊付けされて折り畳まれた状態から前記各側面を立体形状に組み立てると、同時に前記底部が組み立てられる包装用箱である。前記包装用箱の内側には、前記側面に交差して設けられ収容物が嵌合される透孔が形成されている上面と、前記上面に連接して設けられ前記底部に向かって突出する立上片が設けられ、前記立上片は、前記上面との連接方向に交差する一方の側縁部が、前記糊付片に連続し、他方の側縁部には、前記糊付片が糊付けされた前記側面に対向する前記側面に糊付けされる立上片用糊付部が設けられている。
【０００９】
また、前記立上片には、前記上面とは反対側に下面が設けられ、前記下面は、組立状態で前記上面の下方に位置し、前記底部から離間して設けられ、前記上面の前記透孔に対面する範囲を覆う大きさである。
【００１０】
前記下面には、前記立上片とは反対側に下面用糊付部が設けられ、前記上面には、前記立上片とは反対側に上面用糊付部が設けられ、前記下面用糊付部と前記上面用糊付部には、組立状態で前記下面の下方に一部が突出し前記底部に当接する保持片が糊付けされている。
【発明の効果】
【００１１】
本発明の包装用箱は、収容物の底を確実に保持して高い緩衝効果を有し、収容物を安全に運搬し保管を行うことができる。しかも、箱体形成片の折り畳み状態から側面と底部を立体形状に組み立てる工程と、仕切り片を立体形状に組み立てる工程が別であるため、弱い力で簡単に組み立てることができるものである。
【図面の簡単な説明】
【００１２】
【図１】この発明の第一実施形態の包装用箱の斜視図である。
【図２】この発明の第一実施形態の包装用箱の縦断面図である。
【図３】この発明の第一実施形態の包装用箱の展開図である。
【図４】この発明の第一実施形態の包装用箱の組立工程を示す展開図である。
【図５】この発明の第一実施形態の包装用箱の組立工程を示す展開図である。
【図６】この発明の第二実施形態の包装用箱の斜視図である。
【図７】この発明の第二実施形態の包装用箱の縦断面図である。
【図８】この発明の第二実施形態の包装用箱の展開図である。
【図９】この発明の第二実施形態の包装用箱の組立工程を示す展開図である。
【発明を実施するための形態】
【００１３】
以下、この発明の実施形態について図面に基づいて説明する。図１〜図３はこの発明の第一実施形態を示すもので、この実施形態の包装用箱１０は、紙製等の一枚のブランクシートを打ち抜いて形成された箱体形成片１２を組み立てて設けられている。
【００１４】
図３は、箱体形成片１２を表面から見た展開図であり、箱体形成片１２は、側面１４，１６，１８，２０が、互いに平行に連接して形成されている。側面１４，１６，１８，２０は、互いにほぼ同じ形状であり、連接方向と直交する幅方向よりも、連接方向の長さが少し短い矩形である。側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００１５】
側面１４の、側面同士の連接方向に対して直角な方向の一端部には、矩形の上蓋片３２が折罫線３４で区切られて設けられている。上蓋片３２の、折罫線３４の反対側の端部には、さらに差込片３６が折罫線３８で区切られて設けられている。側面１４の、折罫線３４と反対側の端部には、三角形状の底蓋片４０が折罫線４２で区切られて設けられ、底蓋片４０の、側面１６に隣接する傾斜した側縁部には、四角形状の底面糊付片４４が折罫線４６で区切られて設けられている。
【００１６】
側面１６の、側面１４の折罫線３４に隣接する端部には、台形状の上フラップ４８が折罫線５０で区切られて設けられている。側面１６の、折罫線５０と反対側の端部には、三角形状の底フラップ５２が折罫線５４で区切られて設けられている。
【００１７】
側面１８の、側面１６の折罫線５０に隣接する端部１８ａには、端部１８ａの中心をコの字形に囲む開封用の破断線５６が設けられている。破断線５６の内側は、差込片用糊付部５７になる。側面１８の、端部１８ａと反対側の端部には、三角形状の底蓋片５８が折罫線６０で区切られて設けられ、底蓋片５８の、側面２０に隣接する傾斜した側縁部には、四角形状の底面糊付片６２が折罫線６４で区切られて設けられている。
【００１８】
側面２０の、側面１８の端部１８ａに隣接する端部には、台形状の上フラップ６６が折罫線６８で区切られて設けられている。側面２０の折罫線６８と反対側の端部には、三角形状の底フラップ７０が折罫線７１で区切られて設けられている。
【００１９】
糊付片２２は、折罫線２４に対して直角な長さは側面１４より短く形成されている。折罫線２４に対して平行な長さは、折罫線２４に連接する部分は側面１４と同じ幅を有し、側面１４と反対側の側縁部２２ａはそれより短く形成され、変形した５角形に形成されている。糊付片２２の、側面１４の折罫線３４に隣接する端部には、矩形のフラップ２７が折罫線２９で区切られて設けられている。
【００２０】
糊付片２２の、折罫線２４と反対側の側縁部２２ａには、緩衝用の仕切り片７２が設けられている。仕切り片７２は、上面用糊付部８４、上面７４、立上片７６、下面７８、下面用糊付部１００が順番に連接して形成されている。連接方向は、各側面の連接方向に対して直角である。
【００２１】
仕切り片７２の、糊付片２２の側縁部２２ａに隣接する部分には、上面７４が切断線８２で区切られて位置している。上面７４は、切断線８２を短辺とし、糊付片２２の折罫線２９に連続する端部を長辺とする矩形である。切断線８２に対して直角な長さは、側面１４と同じ長さである。切断線８２の長さは、糊付片２２の側縁部２２ａよりも短いものである。上面７４には、収容物が嵌合される透孔８０が形成されている。透孔８０はここでは正円であり、糊付片２２の折罫線２９に連続する端部とは反対の端部に、周縁部の一部が連通している。
【００２２】
上面７４の、糊付片２２の折罫線２９に連続する端部には、上面用糊付部８４が折罫線８６で区切られて位置している。上面用糊付部８４は、折罫線８６に対して平行な長さは折罫線８６と、つまり上面７４と同じであり、折罫線８６に対して直角な長さはそれより短く、フラップ２７よりもわずかに短いものである。
【００２３】
上面７４の、折罫線８６と反対側の端部には、立上片７６が折罫線８８で区切られて設けられている。立上片７６は、折罫線８８よりも折罫線８８と反対側の端部が短い略台形状に形成されている。折罫線８８に接する両側の部分は、折罫線８８に対して直角に形成され、一方は糊付片２２の側縁部２２ａに、折罫線９０を介して連続している。他方には、立上片用糊付部９２が折罫線９４で区切られて設けられている。立上片用糊付部９２は、矩形であり、折罫線９４に対して直角な長さは、糊付片２２よりもわずかに短いものであり、折罫線９４に対して平行な長さは、直角な長さよりも長く形成され、折罫線９４よりも長く、立上片７６との境目の折罫線８８を通過して一部が上面７４の側方に位置し、上面７４とは切断線９６で区切られている。
【００２４】
立上片７６の、折罫線８８と反対側の端部には、下面７８が折罫線９８で区切られて設けられている。下面７８は、折罫線９８よりも反対側の端部が長い略台形状に形成されている。下面７８は、組立状態で上面７４の下方に位置し、箱体の底部１３から離間して設けられ、上面７４の透孔８０に対面する範囲を覆う大きさである。下面７８は、折罫線９８に対して直角な長さは上面７４とほぼ同じであり、折罫線９８と反対側の端部の長さは上面７４の折罫線８６，８８とほぼ同じである。
【００２５】
下面７８の、折罫線９８と反対側の端部には、下面用糊付部１００が折罫線１０２で区切られて設けられている。下面用糊付部１００は変形した６角形であり、折罫線１０２に対して直角な長さは、下面７８よりも長く形成され、折罫線１０２と反対側の端部１００ａは折罫線１０２に対して平行で短い。下面用糊付部１００の、折罫線１０２に直角に交差する一方の側縁部は糊付片２２の側縁部２２ａの延長線上に位置する直線であり、他方の側縁部は、折罫線１０２に対して鋭角に交差して端部１００ａの端に達するものであり、長さの途中で２か所折り曲げられ、端部１００ａに交差する部分は端部１００ａに対して直角となっている。
【００２６】
下面用糊付部１００の、糊付片２２の側縁部２２ａの延長線上に位置する側縁部には、保持片１０４が折罫線１０６で区切られて設けられている。保持片１０４は、糊付片２２の近傍に位置し、折罫線１０６に対して直角な長さは下面用糊付部１００の端部１００ａよりもわずかに短いものであり、折罫線１０６に対して平行な長さは、直角な長さよりも長く形成され、折罫線１０６よりも長く、下面７８との境目の折罫線１０２を通過して一部が下面７８の側方に位置している。保持片１０４は、変形した６角形であり、折罫線１０６に交差する一方の端部１０４ａは下面用糊付部１００の端部１００ａに連続する直線であり、反対側の端部１０４ｂは折罫線１０２を超えて下面７８の側方に達し端部１０４ａに対して平行な直線であり、端部１０４ａより短い。折罫線１０６と反対側の端部１０４ｃは、折罫線１０６に対して平行な直線であり、長さの途中で折り曲げられて端部１０４ｂに向かって傾斜し端部１０４ｂの端部に鈍角に交差する。折罫線１０６に連続する側縁部は、折罫線１０６から突出した部分で短い長さで折罫線１０２の延長線上に延出し、折り曲げられて端部１０４ｂに向かって傾斜し端部１０４ｂの端部に鈍角に交差している。つまり保持片１０４は、端部１０４ｂ近づくに連れて細くなっている。
【００２７】
なお、上記の各折罫線には、折り曲げやすくするために、破断線が設けられてもよい。
【００２８】
次に、この実施形態の包装用箱１０の組立方法の一例について説明する。ここでは、図３が包装用箱１０の箱体形成片１２の表面を見たものであり、箱体形成片１２の表面が凸になる折り方を正折り、そして、裏面が凸になる折り方を逆折りと称する。
【００２９】
まず、上面用糊付部８４の裏面に糊１０８を塗布し、折罫線９８を正折りして、図４に示すように下面用糊付部１００の裏面を上面用糊付部８４の裏面に糊付けする。なお、図４は箱体形成片１２の裏面を見たものであり、折り返された下面７８、下面用糊付部１００、保持片１０４は、表面が見えている。
【００３０】
次に、下面用糊付部１００の表面に糊１１０を塗布し、折罫線９０を正折りし、同時に重ねられた折罫線１０６を逆折りし、図５に示すように下面用糊付部１００の表面を保持片１０４の表面に糊付けする。なお、図５は箱体形成片１２の裏面を見たものであり、折り返され上面用糊付部８４、上面７４、立上片７６、立上片用糊付部９２は、表面が見えている。そして、立上片用糊付部９２の表面に糊１１２を塗布する。
【００３１】
次に、折罫線４２，５４，６０，７１を正折りし、折罫線４６，６４を逆折りし、底面糊付片４４，６２の裏面に糊１１４，１１６を各々塗付する。折罫線２６を正折りして立上片用糊付部９２を側面１６の裏面に、底面糊付片４４を底フラップ５２の表面に、各々糊付けする。さらに、糊付片２２とフラップ２７の表面に、糊１１８を連続して塗布し、折罫線３０を正折りして糊付片２２とフラップ２７を側面２０と上フラップ６６の裏面に、底面糊付片６２を底フラップ７０の表面に、各々糊付けする。これにより箱体形成片１２は折り畳み状態となり、この折り畳んだ状態で出荷される。
【００３２】
次に、収容物を収容し包装する工場等において、折罫線２４，２６，２８，３０を各々９０°に正折りして四角形の箱体にする。この時、底面糊付片４４，６２は底フラップ５２，７０に各々糊付けされているため、二つ折りされていた折罫線４２，５４，６０，７１は自動的に引き起こされてほぼ９０°に開き、底部１３が形成される。そして、折罫線９０，９４は９０°に正折りされ、図２の二点鎖線で示すように、糊付けされて一体となった上面用糊付部８４と、下面用糊付部１００の端部１００ａと、保持片１０４の端部１０４ａは、箱体の開口部から上方に突出する。突出する位置は、糊付片２２と立上片用糊付部９２により、両側縁部が糊付けされて固定された立上片７６の延長線上であり、箱体の一対の側面１４，１８の間に位置している。
【００３３】
箱体を立体形状に組み立てる上記の工程では、まだ仕切り片７２は平坦に折り畳まれた状態である。次に、仕切り片７２を立体形状に組み立てる工程を行う。まず、開口部から突出する保持片１０４の端部１０４ａを、側面１４の裏面に重なる方向に押し込む。これにより折罫線８６は９０°に逆折りされ、折罫線８８，９８，１０２は９０°に正折りされ、図１、図２に示すように、保持片１０４は、側面１４の裏面に重なり、端部１０４ｂが底部１３に当接する。上面７４と下面７８は、底部１３に対して平行となり、下面７８が、上面７４と底部１３の間に位置する。これで仕切り片７２を立体形状に組み立てる工程が終了し、包装用箱１０の組立が完了する。
【００３４】
この状態で、収容物を包装用箱１０の中に入れる。収容物は上面７４に開口された透孔８０に底から差し込み、下面７８に当接してセットする。なお、透孔８０は、収容物の側面をわずかな隙間を有して嵌合する大きさである。立上片７６と側面１８の間には空間１２０が形成され、収容物の取扱説明書１２１などを収納する。
【００３５】
次に、折罫線５０，６８で上フラップ４８，６６を正折りし、その後折罫線３４で上蓋片３２を正折りし、さらに折罫線３８を正折りして差込片３６を側面１８の内側に差し込み、閉鎖する。側面１８の差込片用糊付部５７と、差込片３６を糊付けしてもよい。
【００３６】
この実施形態の包装用箱１０によれば、収容物の底を確実に保持して高い緩衝効果を有し、収容物を安全に運搬し保管を行うことができる。収容物の底を支える下面７８は、上面７４の透孔８０に対面する範囲、つまり収容物の底を覆う大きさであり、広い面積で収容物を保持することができ、緩衝効果が高い。また、上面７４と下面７８を支える立上片７６は、両側縁部が糊付片２２と立上片用糊付部９２により側面１６，２０に糊付けされて固定されているため、強度が高く、安定して上面７４と下面７８を支持することができる。また、上面７４と下面７８は、立上片７６と反対側の端部が、上面用糊付部８４と下面用糊付部１００により保持片１０４に糊付けされ、保持片１０４は広い面積を有し、長い端部１０４ｂで、箱体の底部１３に当接するため、上面７４と下面７８は、立上片７６の反対側の端部も、安定して支持される。また、箱体形成片１２の折り畳み状態から、各側面と底部１３を立体形状に組み立てる工程と、仕切り片を立体形状に組み立てる工程が別であるため、各々の工程で弱い力で簡単に組み立てることができる。
【００３７】
次にこの発明の第二実施形態について図６〜図８に基づいて説明する。なお、ここで、上記実施形態と同様の部材は同様の符号を付して説明を省略する。この実施形態の包装用箱１２２は、上記実施形態の包装用箱１０と、構成する部材はほぼ同じであり、大きさと形状と、各部材が互いに連接する位置が異なるものであり、より小さい収容物を包装することに適したものである。包装用箱１２２は、紙製の一枚のブランクシートを打ち抜いて形成された箱体形成片１２４を組み立てて設けられている。
【００３８】
図８は、箱体形成片１２４を表面から見た展開図である、箱体形成片１２４は、上記実施形態と同じ形状の側面１４，１６，１８，２０と、上蓋片３２、差込片３６、上フラップ４８，６６、底蓋片４０，５８、底面糊付片４４，６２、底フラップ５２，７０が設けられている。
【００３９】
糊付片２２とフラップ２７は、折罫線２４と直交する長さが上記実施形態よりも短く、側面１４の約半分程度である。糊付片２２の、折罫線２４と反対側の側縁部２２ａに設けられた緩衝用の仕切り片７２は、上面用糊付部８４、上面７４、立上片７６、下面７８、下面用糊付部１００が順番に連接して形成されている。連接方向は、各側面の連接方向に対して直角である。
【００４０】
上面用糊付部８４、上面７４、立上片７６、下面７８、下面用糊付部１００は、各々矩形であり、側縁部２２ａに対して直角な長さが上記実施形態とほぼ同じであり、側縁部２２ａに対して平行な長さは上記実施形態よりも各々短い。上面７４に設けられている透孔８０も、上記実施の形態よりも径が小さい正円である。立上片用糊付部９２も、折罫線９４に交差する長さが短く形成され、側面１４の約半分程度である。
【００４１】
保持片１０４は、側縁部２２ａの延長線上に位置する側縁部ではなく、上記実施形態とは逆に、反対側の側縁部に、折罫線１０６を介して設けられている。保持片１０４は、上記実施形態よりも大きく、略矩形に形成され、折罫線１０６と反対側の端部１０４ｃは、立上片用糊付部９２の側縁部よりも外側に位置し、保持片１０４の、端部１０４ａと反対側の端部１０４ｂは、立上片用糊付部９２の側方に位置している。互いに対向する立上片用糊付部９２の角部と保持片１０４の角部は、互いに重ならないように直線で面取りして僅かに離間している。
【００４２】
次に、この実施形態の包装用箱１２２の組立方法の一例について説明する。ここでは、図８が包装用箱１２２の箱体形成片１２４の表面を見たものであり、箱体形成片１２４の表面が凸になる折り方を正折り、そして、裏面が凸になる折り方を逆折りと称する。
【００４３】
まず、上面用糊付部８４の裏面に糊１０８を塗布し、折罫線９８を正折りして、図９に示すように下面用糊付部１００の裏面を上面用糊付部８４の裏面に糊付けする。なお、図９は箱体形成片１２４の裏面を見たものであり、折り返された下面７８、下面用糊付部１００、保持片１０４は、表面が見えている。
【００４４】
次に、下面用糊付部１００の表面に糊１１０を塗布し、折罫線１０６を逆折りし、下面用糊付部１００の表面を保持片１０４の表面に糊付けする。そして、折罫線９０を正折りし、立上片用糊付部９２の表面に糊１１２を塗布する。
【００４５】
次に、折罫線４２，５４，６０，７１を正折りして折罫線４６，６４を逆折りし、底面糊付片４４，６２の裏面に糊１１４，１１６を塗付する。折罫線２６を正折りして立上片用糊付部９２を側面１６の裏面に、底面糊付片４４を底フラップ５２の表面に、各々糊付けする。さらに、糊付片２２とフラップ２７の表面に、糊１１８を連続して塗布し、折罫線３０を正折りして糊付片２２とフラップ２７を側面２０と上フラップ６６の裏面に、底面糊付片６２を底フラップ７０の表面に、各々糊付けする。これにより箱体形成片１２４は折り畳み状態となり、この折り畳んだ状態で出荷される。
【００４６】
次に、収容物を収容し包装する工場等において、上記実施の形態と同様の工程で、箱体を立体形状に組み立てる上記の工程と、仕切り片７２を立体形状に組み立てる工程を行い、包装用箱１２２の組立が完了する。この状態で、収容物を包装用箱１２２の中に入れ、上記実施の形態と同様の工程で閉鎖する。なお、立上片７６と側面１８の間には、上記実施形態よりも大きく空間１２０が設けられ、取扱説明書１２１を、ゆとりを有して収容する。
【００４７】
この実施形態の包装用箱１２２によれば、上記実施形態と同様の効果を有するものである。小さい収容物も、確実に、高い緩衝効果を有して包装することができる。
【００４８】
なお、この発明の包装用箱は、上記実施形態に限定されるものではなく、
【符号の説明】
【００４９】
１０，１２２  包装用箱
１２，１２４  箱体形成片
１３  底部
１４，１６，１８，２０  側面
２２  糊付片
７４  上面
７６  立上片
７８  下面
８０  透孔
８４  上面用糊付部
９２  立上片用糊付部
１００  下面用糊付部
１０４  保持片
１２０  空間
１２１  取扱説明書
【図１】
2018002300.tif 000003
【図２】
2018002300.tif 000004
【図３】
2018002300.tif 000005
【図４】
2018002300.tif 000006
【図５】
2018002300.tif 000007
【図６】
2018002300.tif 000008
【図７】
2018002300.tif 000009
【図８】
2018002300.tif 000010
【図９】
2018002300.tif 000011